(57)【要約】【課題】第１の端部が犬の首輪又は胴輪に固定されたワイヤ形状又はベルト形状の可撓性部材と、前記ワイヤ形状又はベルト形状部材のもう一方の端部を握るための把持手段とを含む犬用リードの提供。【解決手段】リードは、把持手段が高剛性本体１を含み、通常のリードの使用を妨げないよう解放可能に前記高剛性本体１に接続されている、犬の排泄物を収集するための手段６をさらに含むことを特徴とする。排泄物を収集するための手段６が、前記本体１に形成された収容部４内にぴたり挿入されたスコップ６、スコップを挿入位置に固定するための収容部４とスコップ６との間に配置されたスナップ係合手段を含むことが好ましい。
2005517416.tif 000002
【特許請求の範囲】
【請求項１】
第１の端部が犬の首輪又は胴輪に固定されるワイヤ形状又はベルト形状の可撓性部材と、前記ワイヤ形状又はベルト形状部材の他方の端部を把持するための把持手段とを含む犬用リードにおいて、
前記把持手段が高剛性の本体（１）を含み、
リードが、リードの通常の使用を妨げないように取り外し可能に前記高剛性の本体（１）に連結されている、犬の排泄物を収集するための手段（６）をさらに含むことを特徴とする犬用リード。
【請求項２】
前記排泄物を収集するための手段（６）が、
本体（１）に形成された収容部（４）内にぴたり挿入されたスコップ（６）と、
前記スコップを挿入位置に固定するための、前記収容部（４）と前記スコップ（６）との間に配置されたスナップ係合手段とを含む請求項１に記載された犬用リード。
【請求項３】
前記本体（１）が、少なくとも１つの平坦面（１１）を含み、前記収容部（４）が前記平坦面（１１）に形成されて、前記平坦面（１１）に隣接する前記本体（１）の側面（１ａ）にもおよび、前記側面（１ａ）の開口部が前記収容部（４）内の前記スコップ（６）の滑走挿入を可能にし、前記スコップ（６）が、前記平坦面（１１）での前記収容部（４）の開口を完全にふさぐための平底（６ｃ）を含む請求項２に記載された犬用リード。
【請求項４】
前記収容部（４）が、前記平坦面（１１）に対して垂直な方向から見ると四角形の外形を有し、前記スコップ（６）の前記平底（６ｃ）が前記収容部（４）と同じ四角形の外形を有し、前記側面（１ａ）での前記収容部（４）の開口を完全にふさぐために、横壁（６ａ）が前記平底（６ｃ）の側面から突き出ている請求項３に記載された犬用リード。
【請求項５】
把持用把手（３）が、前記収容部（４）のおよぶ前記本体（１）の前記側面（１ａ）から突き出ている請求項３又は請求項４に記載された犬用リード。
【請求項６】
前記スコップ（６）が把手部分（３ｂ）を含み、該把手部分（３ｂ）が、前記スコップの挿入時にリードの前記把持用把手（３）を形成するように、前記本体（１）と一体の把手部分（３ａ）と結合するようになっている請求項５に記載された犬用リード。
【請求項７】
前記スコップ（６）が、前記平底（６ｃ）から垂直に突き出している長手方向の側壁（６ｂ）を含み、該長手方向の側壁（６ｂ）が、前記収容部（４）の対応する長手方向の側壁（４ｂ）に形成されたスロット（７）と滑走係合するように適合された突起部（８）を備えている請求項３から請求項６までのいずれか１項に記載された犬用リード。
【請求項８】
前記スコップ（６）の前記平底（６ｃ）の外側表面が、前記収容部（４）からの前記スコップ（６）の取り出しを補助するための把持手段（９）を備えている請求項３から請求項７までのいずれか１項に記載された犬用リード。
【請求項９】
挿入位置で前記収容部（４）と前記スコップ（６）とによって形成された閉じたハウジングに配置される使い捨ての小型袋のような、排泄物を収集及び処分するための補助的手段を含む請求項２から請求項８までのいずれか１項に記載された犬用リード。
【請求項１０】
前記小型袋が、前記収容部（４）の底部（４ｃ）に取り外し可能に固定されるように適合されたボックス（５）内に配置される請求項９に記載された犬用リード。
【請求項１１】
小型袋を引き出して、ボックス（５）内に配置された部分的切れ目のある束から引きはがすために、のこぎり状の縁端（５ａ）を備えたスロット（５）が、前記ボックス（５）に形成されている請求項１０に記載された犬用リード。
【請求項１２】
前記本体（１）が、箱形状の構造体を有し、該構造体が、弾性的復帰手段により駆動される、前記可撓性部材の自動式巻き取り／引き出しのための滑車を収容している請求項１から請求項１１までのいずれか１項に記載された犬用リード。
【発明の詳細な説明】
【技術分野】
【０００１】
本発明は、ペット、すなわち犬の世話のための用品の分野に関するものである。具体的には、新しい種類の犬用リード（引き綱）に関するものである。
【背景技術】
【０００２】
犬の排泄物が、歩道、さらに一般的には、通りや屋外の都市部のあらゆる場所を汚染することにより、人々にいかに問題と不快感を引き起こしているかは周知の通りである。従来、ペット所有者が排泄物を収集及び処分するよう促すために多くの試みがなされてきており、大きな新聞キャンペーンや広告活動の手段も用いられた。この目的で、作業を簡単にできるもの、つまり、手を汚すおそれもなく排泄物をたやすく収集できる各種の器具が提案されてきた。
【０００３】
しかし、そのような器具、或いは他のより基本的な道具（紙又はビニール製手袋と小型袋）が使用されることは、極めてまれである。実際、多くの人々が、犬を散歩に連れて行く際に補助的な道具を携行することを煩わしいと考えている。また、ほとんどの場合道具を家に置いたままにしてしまう人々もいる。そのため、怠惰と不注意により、エチケットと公共道徳心を損なってしまい、問題は依然として解決されていない。
【発明の開示】
【発明が解決しようとする課題】
【０００４】
本発明は、前記の問題の解決に寄与することができる。つまり、本発明を散歩に携行することにより犬の所有者が犬の排泄物を収集及び処分する習慣を促進することができる。
【課題を解決するための手段】
【０００５】
事実、本発明によれば、第１の端部が犬の首輪又は胴輪（ｈａｒｎｅｓｓ）に固定されるワイヤ形状又はベルト形状の可撓性部材と、ワイヤ形状又はベルト形状部材の他方の端部を把持するための把持手段とを含み、前記把持手段が高剛性の本体を含むことを特徴とし、リードが、リードの通常の使用を妨げないように取り外し可能に高剛性の本体に連結されている、犬の排泄物を収集するための手段を含むことを特徴とする、犬用リードが提供される。
【０００６】
本発明によるリードでは、排泄物の収集及び処分に必要なものはすべてリードに組み込まれているので、補助的な収集用の道具を携行する煩わしさが解消される。また同時に、道具を家に置き忘れてしまう可能性もなくなる。
【０００７】
本発明の好ましい具体例によれば、リードは自動式のものである。つまり、高剛性の本体が、弾性的復帰手段により自動的に巻き取り又は引き出されるワイヤ形状又はベルト形状部材を収容する空洞を画定する箱形状の構造体を有するリードである。この場合、それは、排泄物を収集する手段を補助するために使用される従来の自動式リードにおいて既に存在している前記本体である。代替具体例として、通常の非自動式リードを構成する従来のワイヤ形状又はベルト形状部材に、排泄物の収集及び処分の手段を組み込めるようにすることを目的として、追加の高剛性把持部本体を備えて構成される。
【０００８】
あらゆる場合において、そのような収集手段は、前記本体に形成された収容部にぴたり（ｆｌｕｓｈ）挿入されるスコップを含むことが有利である。スコップを挿入位置に固定するために、スナップ係合手段が収容部とスコップとの間に配置される。有利には、スコップは平底を備えることができ、挿入位置で平底が、挿入収容部の形成される本体の平坦面と完全に同一平面を形成する。このようにして、スコップの底部及び収容部の底部が、排泄物を詰めてそれを容易に処分できるようにするためのいくつかの小型袋用のハウジングを画定する。小型袋は、適切なボックス（箱体）に配置されることが望ましい。さらに好ましい具体例によれば、スコップが把手部分を含み、スコップの挿入時に本体と一体の把手部分と結合し、リードの実際の把持用把手を形成する。
【発明の効果】
【０００９】
前記の好ましい具体例が選択された場合、リードはその簡単、軽量、かつ小型の特徴により、特に実用的で扱いやすいものとなり、容易に低コストで製造することができ、さらに美観上も心地よいものとなる。自分のペットの排泄物を収集して処分するという習慣が大幅に促進されることになる。
【実施例】
【００１０】
本発明による新しいリードのその他の特性及び利点は、限定的なものではなく、例示的なものとして示す添付の図面を参照しながら本発明の実施例についての説明を読めば明らかになろう。
【００１１】
図を参照すると、本発明によるリードは、第１の端部が犬の首輪又は胴輪に接続されるワイヤ形状又はベルト形状の可撓性部材を含む。可撓性部材については、説明および図のいずれにおいても触れていないが、従来技術におけるものと完全に類似している。リードはさらに、可撓性部材のもう一方の端部が接続されている剛性の大きい本体１も含んでいる。
【００１２】
この実施例において、リードはいわゆる「自動式」である。つまり、可撓性部材が滑車から引き出され、弾性的な復帰手段により自動的に滑車に巻き取られる。したがって、本体１は、可撓性部材を巻き取る／引き出すための滑車を収容する従来型の箱形状の本体に相当する。本体１は滑車の回転軸に対して直角の面が平坦化されており、これにより２つの主要な平面が規定される。その一方の面のみが図に１１で示されている。さらに、本体は、２つのシェル（外郭構造）部分から作られ、滑車組立体を収容する空洞を画定するように相互に連携している。平坦面１１を含むシェル部分のみが、図３及び図４に示されている。
【００１３】
滑車、ペットの首輪又は胴輪に接続される可撓性部材、及びその他すべての補助構成要素、つまり可撓性部材を自動的に巻き取るための滑車を駆動する弾性的復帰手段については、説明と図のいずれにおいても触れていないが、既知の自動式リードと同様のものである。図１においてのみ、本体１の長手方向側面に、滑車の回転の固定を解除するボタン２が示されている。さらに図１において、本体１からの可撓性部材の出口穴も１２で示されている。
【００１４】
把手部分３ａについては以下にさらに詳しく説明されるが、本体１の側面１ａから一体的に突き出しているが、なお本体の平坦面上にある。収容部４は、面１１に形成され、面の法線方向から見ると四角形の外形を有している。さらに正確には、収容部４は本体１の側面１ａ、つまり把手部分３ａに隣接する側面から、４ａで示される反対側の端まで続いている。収容部４は、面１１を超えて、側面１ａに沿って開いており、平底４ｃ及び反対側の四角形の側壁４ｂを規定している。
【００１５】
特に図４及び図５で示されているスコップ６は、収容部４と全体的に同じ形状を有しており、底部４ｃに対応する平底６ｃ、平底６ｃの２つの対向する側面から突き出る長手方向側壁６ｂ（例では三角形の外形を有する）、及び２つの長手方向側壁６ｂの間の平底６ｃの側から突き出ている横壁６ａを備えている。横壁６ａは、把手部分３ａの側で収容部４の開口を完全にふさぐように適合されている。
【００１６】
したがって、スコップ６は、側面１ａの開口部を通じて挿入されて、本体１の長手に下方に滑走させることにより、長手方向の側壁６ｂを収容部４の側壁４ｂに隣接し、平底６ｃを平坦面１１と同一平面になるような配置で、収容部４に係合可能である。この目的のため、案内用スロット７及び突起部８が相互の係合のために設計されており、それぞれ長手方向の側壁４ｂ及び６ｂに沿って形成される。図示されていないが、スナップ係合手段が、たとえば突起部８の端部拡張部分及びスロット７の対応する切り欠きを含み、スコップが収容部４の端４ａで止まっている図１に示されるように完全な挿入位置でスコップ６を固定する。そのような図において、スコップ６の底部６ｃ及び横壁６ａは、収容部４を完全に密閉し、本体１の外部表面が連続かつ一様となることに留意されたい。
【００１７】
収容部４の２つの長手方向の側壁４ｂを越えて本体１の側面１ａ上で伸長形状になっている横壁６ａから、把手部分３ｂが外側に延在する。把手部分３ｂは、横壁６ａと一体であり、本体１の把手部分３ａと同じ形状を有している。２つの把手部分３ａ及び３ｂは、スコップが挿入されている場合に（図１）相互に結合して、リードの実際の把持用把手３を形成するようになっている。
【００１８】
スコップ６が挿入される場合、底部６ｃと収容部４の底部４ｃとは、相互に間隔があけられる。このようにして、排泄物の収集と処分の作業を補助する道具、つまり一般には紙製、合成材料、又は他の適切な素材の使い捨て小型袋をさらに含めるために使用できる、閉じたハウジングが画定される。
【００１９】
有利なことに、前記袋は、図２に示され、図６で単独で示されているボックスと同様の、適切なボックス５に配置される。ボックス５は、横向きに突出し、底部４ｃから立ち上がっている突起部１０に係合する口縁５ｂにより、収容部４の底部４ｃに固定することができる。のこぎり状の縁端５ａを有するスロットにより、袋（図示せず）がボックスから引き出され、ボックス内に適切に配置されている部分的な切れ目のある束から引きはがされる。前記のような種類の束は、使い果たしてしまったら開口部（図示されず）からボックス５に簡単に補充できるように、市場で提供される。代替実施例として、袋を使い果たした場合に、ボックス５を廃棄して、この目的で市場に提供される袋を装備した新しいボックスに交換される。
【００２０】
スコップ６の挿入時には、リードは、従来技術による自動式リードの外観及び機能に全面的に対応する外観及び機能を備えることになる。スコップ６を使用する必要がある場合、つまりペットの排泄物を収集する必要がある場合には、平底６ｃの外側表面にわずかな手の力を加えることにより、簡単にスコップが取り出される。この操作を補助するために、図４及び図５に示されるように、その面に突起部９を備えることもできる。
【００２１】
スコップ６は、その把手部分３ｂにより扱いがさらに簡単になっている。スコップ６は、リードがその通常の機能を果たし続けている間は使用することができる。スコップ６に、使い捨て袋の１つを前もって装着してある場合は、スコップも利用者の手も排泄物で汚れることはない。この点で、スコップ６及び収容部４によって形成されるハウジングに使い捨て手袋を装備することもできる。排泄物が収集されると、スコップに装着された同じ袋、又は別の袋により排泄物が処分され、スコップ６は確実に本体１に戻される。
【００２２】
本発明によるリードが、本発明の説明の導入部で言及した問題の解決に極めて効果的な貢献を果たすことは容易に理解されよう。本体１、スコップ６、及びボックス５の組立体の全体は、従来型の成形工程により、プラスチックを使用して製造することができる。
【００２３】
以上述べてきた実施例は、複数の観点（扱いやすさ、心地よい外観、費用効率の高い製造）から有利であるが、同様の発明概念、つまり犬用リードにおいて動物の排泄物の収集及び処分の手段をリードの高剛性把持部本体に組み込むという発明概念の範囲内でいくつかの発展的な変更を加えることもできる。
【００２４】
自動式リードの場合、例として説明した前記のもののように、既に存在する箱形状の高剛性本体が収集手段を補助するために使用されることになる。しかし、本発明は一般的なリード、つまり、単に可撓性かつ伸びない部材（皮革、織物、金属チェーン、又はプラスチック）によって形成されるリードに広く利用することができる。後者の場合、補助的高剛性把持部本体が使用され、可撓性部材は補助用本体の外側に固定される。
【００２５】
本発明による動物の排泄物を収集及び処分するための手段を含む高剛性把手を備えた犬用リードには、冒頭の請求の範囲によって定義されている本発明の範囲を逸脱することなく、変形及び／又は修正を加えることができる。
【図面の簡単な説明】
【００２６】
【図１】組立済みの構成で、本発明による自動式リードの把持部本体を示す概略透視図。
【図２】分解組立の構成で、図１の本体を示す概略透視図。
【図３】前記の図に示す本体の、スコップ及び袋押さえボックスを外したシェル部分を外側から示した平面図。
【図４】図３のシェル部分を、把手部分側から示す側面図。
【図５】図３及び図４のシェル部分に結合されるスコップを外側から示した平面図。
【図６】図５のスコップを、その長手方向から示した側面図。
【図７】前記の図に示すシェル部分とスコップ間に挿入される袋押さえボックスを示す平面図。
【図１】
2005517416.tif 000003
【図２】
2005517416.tif 000004
【図３】
2005517416.tif 000005
【図４】
2005517416.tif 000006
【図５】
2005517416.tif 000007
【図６】
2005517416.tif 000008
【図７】
2005517416.tif 000009
【国際調査報告】
2005517416.tif 000010
2005517416.tif 000011
2005517416.tif 000012